(57)【要約】【課題】天面両側部に隙間が開かない状態で確実に封緘でき、開封が容易で、材料の使用量を抑制できる通販箱を提供する。【解決手段】側板１と端板２とを周方向に稜部を介して連設し、一方の側板１から延びる中間フラップ７にタブ９を設け、対向する端板２から延びる各内フラップ６にタブ穴１０を形成し、他方の側板１から延びる外フラップ８の先端側に封緘差込部１１を設け、中間フラップ７に差込穴１２を形成しておき、内フラップ６に中間フラップ７を重ね、タブ９をタブ穴１０に差し込み、中間フラップ７に外フラップ８を重ね、封緘差込部１１を差込穴１２に差し込むと封緘状態にロックされ、中間フラップ７の外フラップ８に覆われない部分に設けた引裂帯１３により中間フラップ７を分割すると、中間フラップ７の分割部より先端側部分と外フラップ８とが重なり合った状態で開封されるようにする。【選択図】図６
2015030529.tif 000002
【特許請求の範囲】
【請求項１】
側板（１）と端板（２）とを周方向に稜部を介して連設し、一方の側板（１）から延びる中間フラップ（７）にタブ（９）を設け、対向する端板（２）から延びる各内フラップ（６）にタブ穴（１０）を形成し、他方の側板（１）から延びる外フラップ（８）の先端側に封緘差込部（１１）を設け、中間フラップ（７）に差込穴（１２）を形成しておき、内フラップ（６）に中間フラップ（７）を重ねると共に、タブ（９）をタブ穴（１０）に差し込み、中間フラップ（７）に外フラップ（８）を重ね、封緘差込部（１１）を差込穴（１２）に差し込むと、封緘状態にロックされるようにし、中間フラップ（７）の外フラップ（８）に覆われない部分に引裂帯（１３）を設け、引裂帯（１３）の引っ張りに伴い中間フラップ（７）を分割すると、中間フラップ（７）の分割部より先端側部分と外フラップ（８）とが重なり合った状態で開封されるようにした通販箱。
【請求項２】
前記タブ（９）を中間フラップ（７）の先端角部に位置させ、タブ（９）の基部にヒンジ線（９ａ）を入れ、ヒンジ線（９ａ）は、中間フラップ（７）の内側から外側へかけて中間フラップ（７）の基部へ接近する方向へ傾斜させ、これに対応してタブ穴（１０）も傾斜させ、タブ（９）をヒンジ線（９ａ）に沿って折り曲げつつタブ穴（１０）に差し込むと、ヒンジ線（９ａ）がタブ（９）の先端側に対応するタブ穴（１０）の端縁から離れた位置に留まって、タブ（９）が内フラップ（６）の裏面に沿うようにしたことを特徴とする請求項１に記載の通販箱。
【請求項３】
前記外フラップ（８）に、封緘差込部（１１）の基部から間隔をおいて封緘山折線（１１ｂ）を入れ、封緘山折線（１１ｂ）は、両端が封緘差込部（１１）の両側方で外フラップ（８）の先端縁に位置し、中央部が外フラップ（８）の基部へ接近するように曲がったものとし、封緘差込部（１１）の先端中央部から封緘山折線（１１ｂ）の中央部へかけて封緘谷折線（１１ｃ）を入れ、外フラップ（８）を封緘山折線（１１ｂ）及び封緘谷折線（１１ｃ）に沿って折り曲げつつ、封緘差込部（１１）を差込穴（１２）に差し込むと、外フラップ（８）の折り曲げの復元に伴い、封緘差込部（１１）が中間フラップの裏面に沿い、封緘差込部（１１）と差込穴（１２）の両側部が係合するようにしたことを特徴とする請求項１又は２に記載の通販箱。
【発明の詳細な説明】
【技術分野】
【０００１】
この発明は、通信販売される商品の配送に適した通販箱に関するものである。
【背景技術】
【０００２】
例えば、下記特許文献１には、図１１に示すような通販箱が記載されている。この通販箱は、側板５１と端板５２とを周方向に稜部を介して連設し、対向する端板５２の上端から内フラップ５３を、一方の側板５１の上端から中間フラップ５４を、他方の側板５１の上端から外フラップ５５をそれぞれ延出したものであり、商品を収納した後、内フラップ５３、中間フラップ５４及び外フラップ５５を順次折り重ねて天面を閉じる。
【０００３】
そして、このとき、外フラップ５５の先端に連設した差込片５６を下方へ折り曲げて、中間フラップ５４の側板５１との境界沿いに設けたスリット状の差込穴５７に差し込み、差込片５６の基部両側に入れた切込を差込穴５７の両側方部分に係合させると、封緘状態にロックされる。
【０００４】
また、外フラップ５５に鉤状の切目が断続するジッパー型切目線に挟まれた引裂帯５８が全幅に亘って設けられ、引裂帯５８の引っ張りに伴い外フラップ５５を分割すると、開封することができ、天面を開口させて商品を取り出すことができる。
【先行技術文献】
【特許文献】
【０００５】
【特許文献１】特許第４８８９９４２号公報
【発明の概要】
【発明が解決しようとする課題】
【０００６】
しかしながら、上記のような通販箱では、封緘状態において、内フラップ５３から中間フラップ５４が浮き上がって、天面両側部に箱の内部空間に通じる隙間が開いているように見えることがあり、通信販売の利用者が商品の品質に対し不安を覚えるのではないかという懸念がある。
【０００７】
また、封緘状態で外フラップ５５の先端側を持ち上げると、差込片５６が差込穴５７から抜けるので、不意に開封される恐れがある。
【０００８】
このため、流通過程での安全性を高めるには、テープで外フラップ５５を固定する必要があるが、その場合、包装に要するコストが嵩むほか、開封に際し、カッターナイフ等が必要となり、作業が煩わしくなるという問題が生じる。
【０００９】
また、外フラップ５５が天面全体を覆う大きさとなっているため、材料である段ボールの使用量が多くなるという問題もある。
【００１０】
そこで、この発明は、天面両側部に隙間が開かない状態で確実に封緘でき、開封が容易で、材料の使用量を抑制できる通販箱を提供することを課題とする。
【課題を解決するための手段】
【００１１】
上記課題を解決するため、この発明に係る通販箱では、側板と端板とを周方向に稜部を介して連設し、一方の側板から延びる中間フラップにタブを設け、対向する端板から延びる各内フラップにタブ穴を形成し、他方の側板から延びる外フラップの先端側に封緘差込部を設け、中間フラップに差込穴を形成しておき、内フラップに中間フラップを重ねると共に、タブをタブ穴に差し込み、中間フラップに外フラップを重ね、封緘差込部を差込穴に差し込むと、封緘状態にロックされるようにし、中間フラップの外フラップに覆われない部分に引裂帯を設け、引裂帯の引っ張りに伴い中間フラップを分割すると、中間フラップの分割部より先端側部分と外フラップとが重なり合った状態で開封されるようにしたのである。
【００１２】
また、前記タブを中間フラップの先端角部に位置させ、タブの基部にヒンジ線を入れ、ヒンジ線は、中間フラップの内側から外側へかけて中間フラップの基部へ接近する方向へ傾斜させ、これに対応してタブ穴も傾斜させ、タブをヒンジ線に沿って折り曲げつつタブ穴に差し込むと、ヒンジ線がタブの先端側に対応するタブ穴の端縁から離れた位置に留まって、タブが内フラップの裏面に沿うようにしたのである。
【００１３】
さらに、前記外フラップに、封緘差込部の基部から間隔をおいて封緘山折線を入れ、封緘山折線は、両端が封緘差込部の両側方で外フラップの先端縁に位置し、中央部が外フラップの基部へ接近するように曲がったものとし、封緘差込部の先端中央部から封緘山折線の中央部へかけて封緘谷折線を入れ、外フラップを封緘山折線及び封緘谷折線に沿って折り曲げつつ、封緘差込部を差込穴に差し込むと、外フラップの折り曲げの復元に伴い、封緘差込部が中間フラップの裏面に沿い、封緘差込部と差込穴の両側部が係合するようにしたのである。
【発明の効果】
【００１４】
この発明に係る通販箱では、封緘状態において、中間フラップのタブが内フラップのタブ穴に差し込まれているので、内フラップから中間フラップが浮き上がって天面両側部に隙間が生じることがなく、通信販売の利用者に対して、商品の衛生面に関し安心感を与えることができる。
【００１５】
また、外フラップを縮めるように撓ませなければ、封緘差込部を差込穴から引き抜くことができないため、別途テープを用いて封緘しなくても、確実な封緘性が得られる。
【００１６】
そして、引裂帯を引っ張って中間フラップを分割するだけで、開封することができ、天面を開く際、タブがタブ穴からスムーズに引き抜かれ、中間フラップの分割部より先端側部分と外フラップとを重なり合って一体化した状態で起こすことができるので、天面を容易に開口させて、商品を取り出すことができる。
【００１７】
さらに、中間フラップ及び外フラップを、互いに相手方の基部に達しない短い寸法に設定し、タブを中間フラップの幅及び長さから飛び出さない範囲に設定できるので、材料となる段ボールの使用量を抑制することができ、通販包装の合理化を図ることができる。
【図面の簡単な説明】
【００１８】
【図１】この発明の実施形態に係る通販箱のブランクを示す図
【図２】同上の封緘時に内フラップ及び中間フラップを折り曲げる過程を示す斜視図
【図３】同上のタブのタブ穴への差込過程を示す部分拡大斜視図
【図４】同上の内フラップに中間フラップを重ねた封緘途中の状態を示す斜視図
【図５】同上の差込封緘部の差込穴への差込過程を示す斜視図
【図６】同上の封緘状態を示す斜視図
【図７】同上の開封時に引裂帯を引っ張った状態を示す斜視図
【図８】同上の中間フラップを分割して外フラップと共に開く過程を示す斜視図
【図９】同上の天面開口状態を示す斜視図
【図１０】同上の（ａ）〜（ｆ）中間フラップにおけるタブの位置及び方向のバリエーションを示す図
【図１１】従来の通販箱の封緘過程を示す斜視図
【発明を実施するための形態】
【００１９】
以下、この発明の実施形態を添付図面に基づいて説明する。
【００２０】
この通販箱は、図１に示す段ボールのブランクから形成される。このブランクでは、周壁の長手方向をなす側板１と幅方向をなす端板２とが各一対交互に連設され、一方の側板１の外側端に継代片３が連設され、各側板１の下端には底板４が、各端板２の下端には底板５がそれぞれ連設されている。
【００２１】
各端板２の上端には内フラップ６が連設され、一方の側板１の上端には中間フラップ７が、他方の側板１の上端には外フラップ８がそれぞれ連設されている。
【００２２】
内フラップ６、中間フラップ７及び外フラップ８の先端位置は、ブランクにおいて揃っており、その基部から先端までの最大長さＡは、端板２の幅Ｂに対して、３／４程度とされている。
【００２３】
中間フラップ７の両側の先端角部には、タブ９が設けられ、タブ９の基部には、押罫のヒンジ線９ａが入れられている。ヒンジ線９ａは、中間フラップ７の内側から外側へかけて、中間フラップ７の基部へ接近する方向へ傾斜し、タブ９の基部の外側部分には、ヒンジ線９ａに至る切込９ｂが入れられている。
【００２４】
各内フラップ６の基部寄りには、タブ９が差し込まれるタブ穴１０が形成され、タブ穴１０は、タブ９に対応して傾斜し、タブ穴１０を形成する切目線の内側は、折曲片１０ａとされている。タブ９の先端側に対応するタブ穴１０の端縁は、タブ９の基部側に対応する方向へ弧状に膨出し、タブ穴１０の外側端部には、切込１０ｂが入れられている。
【００２５】
外フラップ８の先端中央部には、両側方より突出した封緘差込部１１が設けられ、その基部の両側に切込１１ａが入れられている。
【００２６】
また、外フラップ８には、封緘差込部１１の基部から間隔をおいて封緘山折線１１ｂが入れられ、封緘山折線１１ｂは、両端が封緘差込部１１の両側方で外フラップ８の先端縁に位置し、中央部が外フラップ８の基部へ接近するように弧状に湾曲している。
【００２７】
さらに、外フラップ８には、封緘差込部１１の先端中央部から封緘山折線１１ｂの中央部へかけて封緘谷折線１１ｃが入れられ、封緘山折線１１ｂ及び封緘谷折線１１ｃは、押罫に切目を入れたリード罫とされている。
【００２８】
中間フラップ７には、封緘差込部１１が差し込まれる差込穴１２が形成され、差込穴１２は、中間フラップ７の先端側へ膨出した弧状の長穴の両側に、中間フラップ７の基部寄りの端縁から連続する切込１２ａを入れたものとされている。
【００２９】
また、各内フラップ６の先端側には、封緘差込部１１を差込穴１２に差し込む際、封緘差込部１１の衝突を回避するための切欠部６ａが形成されている。
【００３０】
そして、中間フラップ７には、封緘状態で外フラップ８に覆われない基部寄り部分に、鉤状の切目が断続するジッパー型切目線に挟まれた引裂帯１３が全幅に亘って設けられ、その一端の摘み部分に、段ボールを表面から厚さ方向の途中まで切り込んで、引裂方向を示す矢印が表示されている。
【００３１】
このようなブランクでは、中間フラップ７及び外フラップ８を、組立状態で互いに相手方の基部に達しない短かい寸法に設定し、タブ９を中間フラップ７の先端及び両側端から飛び出さない範囲に設定しているので、材料となる段ボールの使用量を抑制することができ、通販包装の合理化を図ることができる。
【００３２】
上記のようなブランクを組み立てて、通信販売される商品を包装する際には、図２に示すように、各一対の側板１及び端板２を角筒状に折り曲げ、継代片３を反対側の端板２に貼り付けて周壁を形成し、底板４，５を折り曲げて底壁を形成した状態で、天面の開口から商品を箱の内部に収納した後、一対の内フラップ６を対向する方向へ折り曲げ、中間フラップ７を内フラップ６に重ねる方向へ折り曲げる。
【００３３】
これに伴い、図３に示すように、タブ９を、ヒンジ線９ａに沿って折り曲げつつ、タブ穴１０に差し込む。このとき、タブ９の先端部をタブ穴１０の膨出した端縁の中央部に引っ掛けると、タブ９のタブ穴１０への差し込みを容易に開始でき、タブ９は、押し下げられた折曲片１０ａに沿って浅い角度で滑るようにタブ穴１０に挿入される。
【００３４】
そして、図４に示すように、タブ９をタブ穴１０に完全に差し込むと、切込９ｂ，１０ｂが噛み合って、タブ９のタブ穴１０からの抜け出しが防止され、ヒンジ線９ａがタブ９の先端側に対応するタブ穴１０の膨出した端縁から離れた位置に留まることから、タブ９は、先端側があまり下方へ向かず、内フラップ６の裏面に沿った状態となる。このため、タブ９が箱の内部に収納した商品に衝突することがない。
【００３５】
次に、箱詰め作業者の正面に向く側板１を対向側のものと入れ替えるように、通販箱を１８０°回転させる。この状態で、図５に示すように、外フラップ８を、封緘山折線１１ｂ及び封緘谷折線１１ｃに沿って、先端側の中央部分が窪むように折り曲げつつ、図６に示すように、封緘差込部１１を差込穴１２に差し込む。
【００３６】
その後、外フラップ８の折り曲げが反発で復元すると、封緘差込部１１が中間フラップ７の裏面に沿い、切込１１ａ，１２ａが噛み合って、封緘差込部１１と差込穴１２の両側部が係合し、封緘状態にロックされる。そして、商品の発送に際しては、このような封緘状態で、外フラップ８の表面に伝票Ｓを貼り付ける。
【００３７】
このように封緘すると、中間フラップ７の先端部両側のタブ９が内フラップ６のタブ穴１０に差し込まれているので、内フラップ６から中間フラップ７が浮き上がって天面両側部に隙間が生じることがなく、通信販売の利用者に対して、商品の衛生面に関し安心感を与えることができる。
【００３８】
また、外フラップ８を縮めるように撓ませなければ、封緘差込部１１を差込穴１２から引き抜くことができず、伝票Ｓが改竄防止に寄与するので、別途テープを用いて封緘しなくても、確実な封緘性が得られ、流通過程での商品の抜き取り等を防止できる。
【００３９】
一方、商品購入者が通販箱を開封する際には、図７に示すように、引裂帯１３を摘み部から矢印で示された方向へ引っ張って、中間フラップ７を分割する。そして、引裂帯１３の切り取りにより生じた隙間に手を入れて、図８に示すように、分割された中間フラップ７をそれぞれ引き起こすと、中間フラップ７の分割部より先端側部分と外フラップ８とが重なり合った状態で開封される。
【００４０】
このとき、タブ９は、基部のヒンジ線９ａが傾斜し、封緘状態において内フラップ６の裏面に沿い、外側の切込９ｂでのみ内フラップ６に係合していることから、分割された中間フラップ７の引き起こしに伴い、内フラップ６との係合が簡単に解除されて、タブ穴１０からスムーズに引き抜かれる。
【００４１】
そして、中間フラップ７の分割部より先端側部分と外フラップ８とを重なり合って一体化した状態で起こすことができるので、天面を容易に開口させることができ、図９に示すように、一対の内フラップ６を開くことにより、天面を全面的に開口させた状態で、商品を取り出すことができる。
【００４２】
なお、上記実施形態では、タブ９が折曲片１０ａの押し込みに伴い、これに沿ってタブ穴１０に差し込まれるものを例示したが、折曲片１０ａを省略し、タブ穴１０が完全に打ち抜かれたものとしてもよい。
【００４３】
また、封緘山折線１１ｂが弧状に湾曲したものを例示したが、封緘山折線１１ｂは、中央部が谷となるようにＶ字状に屈曲したものとしてもよい。
【００４４】
そのほか、中間フラップ７において、タブ９は、図１０の各図に示すような位置及び方向に設けてもよい。すなわち、図１０（ａ）に示すように、中間フラップ７の先端辺両側部のヒンジ線９ａを基部として、タブ９が真っ直ぐに突出するようにしてもよく、図１０（ｂ）に示すように、中間フラップ７の先端辺両側部から切り込まれた位置のヒンジ線９ａを基部として、タブ９が真っ直ぐに突出するようにしてもよい。
【００４５】
また、図１０（ｃ）に示すように、中間フラップ７の両側辺のヒンジ線９ａを基部として、タブ９が側方へ突出するようにしてもよく、図１０（ｄ）に示すように、中間フラップ７の両側辺から切り込まれた位置のヒンジ線９ａを基部として、タブ９が側方へ突出するようにしてもよい。
【００４６】
さらに、図１０（ｅ），（ｆ）に示すように、中間フラップ７の内部への切り込みによりタブ９を形成するようにしてもよく、このようなタブ９は、中間フラップ７の基部に沿った方向のヒンジ線９ａから先端側へ延びるようにしてもよく、中間フラップ７の基部から先端側へ向かう方向に延びるヒンジ線９ａから側方へ延びるようにしてもよい。
【００４７】
なお、タブ９を図１０の各図に示すような位置及び方向に設ける場合、タブ穴１０は、タブ９の位置に対応して内フラップ６に形成する必要があり、図１０（ｃ），（ｄ）のように、タブ９が側方へ突出する場合、ブランクにおいて、タブ９に干渉する内フラップ６の側部を切り込む必要がある。
【００４８】
ところで、この発明に係る箱は、通信販売される商品の配送に適したものであることから、通販箱と称しているが、他の物品の輸送に使用することもできる。
【符号の説明】
【００４９】
１  側板
２  端板
３  継代片
４，５  底板
６  内フラップ
６ａ  切欠部
７  中間フラップ
８  外フラップ
９  タブ
９ａ  ヒンジ線
９ｂ  切込
１０  タブ穴
１０ａ  折曲片
１０ｂ  切込
１１  封緘差込部
１１ａ  切込
１１ｂ  封緘山折線
１１ｃ  封緘谷折線
１２  差込穴
１２ａ  切込
１３  引裂帯
Ｓ  伝票
【図１】
2015030529.tif 000003
【図２】
2015030529.tif 000004
【図３】
2015030529.tif 000005
【図４】
2015030529.tif 000006
【図５】
2015030529.tif 000007
【図６】
2015030529.tif 000008
【図７】
2015030529.tif 000009
【図８】
2015030529.tif 000010
【図９】
2015030529.tif 000011
【図１０】
2015030529.tif 000012
【図１１】
2015030529.tif 000013